(57)【要約】【課題】  被包装物を安定的に包装すると共に、展示効果を有する展示用包装袋を提供する。【解決手段】  開口端と封閉端を有する透明な袋本体と、該袋本体の内部に収容される位置決めプレートと、該袋本体の外側に設けられる吊掛部材とを有する展示用包装袋であって、前記袋本体の内部に位置決めプレートと被包装物を収容する空間が形成され、開口端の一側に該開口端を封閉可能な封止プレートが設けられると共に、封閉端に吊掛孔が形成され、前記位置決めプレートの一端に被包装物を位置決める位置決め凹部が形成されると共に、他端に袋本体の吊掛孔に対応する凹部は形成され、前記吊掛部材は袋本体の吊掛孔に設けられる支持プレートと吊掛部を有し、該支持プレートの一側に袋本体の吊掛孔を貫通する取付ブロックが設けられると共に、該取付ブロックの自由端に係止リングが設けられる。【選択図】  図１
0003109104.tif 000002
【実用新案登録請求の範囲】
【請求項１】
開口端と封閉端を有する透明な袋本体と、該袋本体の内部に収容される位置決めプレートと、該袋本体の外側に設けられる吊掛部材とを有する展示用包装袋であって、
前記袋本体の内部に位置決めプレートと被包装物を収容する空間が形成され、開口端の一側に該開口端を封閉可能な封止プレートが設けられると共に、封閉端に吊掛孔が形成され、
前記位置決めプレートの一端に被包装物を位置決めする位置決め凹部が形成されると共に、他端に袋本体の吊掛孔に対応する凹部は形成され、
前記吊掛部材は袋本体の吊掛孔に設けられる支持プレートと吊掛部を有し、該支持プレートの一側に袋本体の吊掛孔を貫通する取付ブロックが設けられると共に、該取付ブロックの自由端に係止リングが設けられることを特徴とする展示用包装袋。
【請求項２】
前記袋本体の開口端の他側に係合プレートが設けられ、封止プレートの両側に該係合プレートと係合可能な係合フックが設けられることを特徴とする請求項１に記載の展示用包装袋。
【請求項３】
前記支持プレートの両端の一側に袋本体を支持するため支持部が設けられると共に、他側に固定プレートが設けられることにより、袋本体を収容するための収容溝が形成されることを特徴とする請求項１又は２に記載の展示用包装袋。
【考案の詳細な説明】
【技術分野】
【０００１】
本考案は、特に被包装物を安定的に包装すると共に、展示効果を有する展示用包装袋に関するものである。
【背景技術】
【０００２】
美容用品又は小型手工具を収容するものは、塩化ビニール樹脂袋又は透明なプラスチックケースを有し、該塩化ビニール樹脂袋又はプラスチックケースにより、美容用品又は小型手工具を展示挟みで展示フレームに吊りかけて展示することができる。
【考案の開示】
【考案が解決しようとする課題】
【０００３】
しかしながら、前記塩化ビニール樹脂袋により被包装物を包装する場合、被包装物が該塩化ビニール樹脂袋の内部に移動することにより破損され、又は塩化ビニール樹脂が被包装物により破損するおそれがあり、且つ塩化ビニール樹脂袋により被包装物を包装すると、被包装物の質感を出さないことから、被包装物を妥当に包装することができない。
【０００４】
又、透明のプラスチックケースにより被包装物を包装した場合には、被包装物の質感を出すことはできるが、プラスチックケースの製造コストは高いと共に、体積が大きいという問題を有するので、美容用品又は小型手工具の収容に適用しない。
【０００５】
そこで、案出されたのが本考案であって、被包装物を安定的に包装すると共に、展示効果を有する展示用包装袋を提供することを目的としている。
【課題を解決するための手段】
【０００６】
本願の第１の考案は、開口端と封閉端を有する透明な袋本体と、該袋本体の内部に収容される位置決めプレートと、該袋本体の外側に設けられる吊掛部材とを有する展示用包装袋であって、前記袋本体の内部に位置決めプレートと被包装物を収容する空間が形成され、開口端の一側に該開口端を封閉可能な封止プレートが設けられると共に、封閉端に吊掛孔が形成され、前記位置決めプレートの一端に被包装物を位置決めする位置決め凹部が形成されると共に、他端に袋本体の吊掛孔に対応する凹部は形成され、前記吊掛部材は袋本体の吊掛孔に設けられる支持プレートと吊掛部を有し、該支持プレートの一側に袋本体の吊掛孔を貫通する取付ブロックが設けられると共に、該取付ブロックの自由端に係止リングが設けられることを特徴とする展示用包装袋及び、本願の第２の考案は、前記袋本体の開口端の他側に係合プレートが設けられ、封止プレートの両側に該係合プレートと係合可能な係合フックが設けられることを特徴とする第１の考案の展示用包装袋及び、本願の第３の考案は、前記支持プレートの両端の一側に袋本体を支持するため支持部が設けられると共に、他側に固定プレートが設けられることにより、袋本体を収容するための収容溝が形成されることを特徴とする第１又は２の考案の展示用包装袋、を提供する。
【考案の効果】
【０００７】
本考案は上記の課題を解決するものであり、袋本体の内部に所定の強度及び形状を有する位置決めプレートが設けられると共に、該位置決めプレートの位置決め凹部によって被包装物を安定的に位置決めし、袋本体の封閉端に設けられる吊掛孔を有する吊掛部材により、袋本体を綺麗に展開すると共に、展示フレームに吊掛することができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る展示用包装袋の第１実施例の使用状態を示す斜視図であり、図２は本考案に係る展示用包装袋の第１実施例の使用状態を示す分解斜視図であり、図３は本考案に係る展示用包装袋の第１実施例の使用状態を示す部分分解斜視図であり、図４は本考案に係る展示用包装袋の第１実施例の使用状態を示す平面図であり、図５は本考案に係る展示用包装袋の第１実施例を示す断面図であり、図６は本考案に係る展示用包装袋の第２実施例の使用状態を示す斜視図であり、図７は本考案に係る展示用包装袋の第３実施例の使用状態を示す分解斜視図であり、図８は本考案に係る展示用包装袋の第４実施例の使用状態を示す分解斜視図である。
【００１０】
図１乃至図３に示すように、本考案に係る展示用包装袋の第１実施例は透明な袋本体（１０）と、該袋本体（１０）の内部に収容される位置決めプレート（２０）と、該袋本体（１０）の外側に設けられる吊掛部材（３０）とを有し、該袋本体（１０）は塩化ビニール樹脂からなり、内部に位置決めプレート（２０）と被包装物（５０）を収容する空間が形成され、開口端の一側に一体の封止プレート（１１）が設けられると共に、他側に該封止プレート（１１）を係合するため係合プレート（１２）が設けられ、又、該封止プレート（１１）の両側に係合凹部（１１２）と係合フック（１１４）が設けられ、該係合フック（１１４）と係合プレート（１２）との組合により、封止プレート（１１）が袋本体（１０）の開口を封止することができる。又、袋本体（１０）の封閉端に吊掛孔（１３）が形成される。
【００１１】
前記位置決めプレート（２０）は所定の強度及び形状を有して袋本体（１０）の内部に挿入可能なものであり、中央に被包装物（５０）を位置決めする位置決め凹部（２１）が形成される。本実施例において、該位置決めプレート（２０）の中央に被包装物（５０）であるの美容用鋏の形状に対応する位置決め凹部（２１）が形成され、又、図４に示すように、該位置決め凹部（２１）の両側に被包装物（５０）の両側を位置決めする位置決め縁部（２２）が設けられ、又、位置決めプレート（２０）に袋本体（１０）の吊掛孔（１３）に対応する凹部（２３）が形成される。
【００１２】
前記吊掛部材（３０）にパターンや文字を印刷する支持プレート（３１）が設けられると共に、下側の中央に袋本体（１０）の吊掛孔（１３）に挿入可能な取付ブロック（３２）が設けられ、該取付ブロック（３２）の自由端に係止リング（３３）が設けられることにより、袋本体（１０）を吊掛部材（３０）に固定する。又、図１及び図５に示すように、前記吊掛部材（３０）の上側の中央に孔である吊掛部（３４）が設けられることにより、袋本体（１０）を展示フレーム（符号なし）に吊掛することができる。
【００１３】
前記吊掛部（３４）に吊掛孔（３４２）が形成され、該支持プレート（３１）の両端の一側に袋本体（１０）を支持するため支持部（３５）が設けられると共に、他側に固定プレート（３６）が設けられることにより、袋本体（１０）を収容するための収容溝（３７）が形成される。
【００１４】
又、図１、図３及び図４に示すように、本考案に係る展示用包装袋は所要の強度を有する位置決めプレート（２０）によって袋本体（１０）を綺麗に展開させ、位置決めプレート（２０）の位置決め凹部（２１）によって被包装物（５０）を安定的に位置決めすることにより、被包装物（５０）の質感を有効的に表現することができる。
【００１５】
又、図６に示すように、本考案に係る展示用包装袋の第２実施例は、前記第１実施例と殆ど等しく、異なるのは吊掛部材（３０Ａ）における取付ブロック（３２）の中央に吊掛用の吊掛孔（３２２）が形成される。
【００１６】
又、図７に示すように、本考案に係る展示用包装袋の第３実施例は、前記第１実施例と殆ど等しく、異なるのは該吊掛部材（３０Ｂ）の支持プレート（３１）は鴨や家鴨の形状を有するプレートであると共に、上側に吊掛用の吊掛フック（３４４）が設けられる。
【００１７】
又、図８に示すように、本考案に係る展示用包装袋の第４実施例は、前記第３実施例と殆ど等しく、異なるのは該該吊掛部材（３０Ｃ）の支持プレート（３１）は楕円形のプレートであり、上側に吊掛孔（３４２）を有するリング部が設けられると共に、一側にパターンや文字を有する標示プレート（３８）を設置するための嵌合溝（３１２）が形成される。
【図面の簡単な説明】
【００１８】
【図１】本考案に係る展示用包装袋の第１実施例の使用状態を示す斜視図である。
【図２】本考案に係る展示用包装袋の第１実施例の使用状態を示す分解斜視図である。
【図３】本考案に係る展示用包装袋の第１実施例の使用状態を示す部分分解斜視図である。
【図４】本考案に係る展示用包装袋の第１実施例の使用状態を示す平面図である。
【図５】本考案に係る展示用包装袋の第１実施例を示す断面図である。
【図６】本考案に係る展示用包装袋の第２実施例の使用状態を示す斜視図である。
【図７】本考案に係る展示用包装袋の第３実施例の使用状態を示す分解斜視図である。
【図８】本考案に係る展示用包装袋の第４実施例の使用状態を示す分解斜視図である。
【符号の説明】
【００１９】
１０        袋本体
１１        封止プレート
１１２      係合凹部
１１４      係合フック
１２        係合プレート
１３        吊掛孔
２０        位置決めプレート
２１        位置決め凹部
２２        位置決め縁部
２３        凹部
３０        吊掛部材
３０Ａ      吊掛部材
３０Ｂ      吊掛部材
３０Ｃ      吊掛部材
３１        支持プレート
３１２      嵌合溝
３２        取付ブロック
３２２      吊掛孔
３３        係止リング
３４        吊掛部
３４２      吊掛孔
３４４      吊掛フック
３５        支持部
３６        固定プレート
３７        収容溝
３８        標示プレート
５０        被包装物
【図１】
0003109104.tif 000003
【図２】
0003109104.tif 000004
【図３】
0003109104.tif 000005
【図４】
0003109104.tif 000006
【図５】
0003109104.tif 000007
【図６】
0003109104.tif 000008
【図７】
0003109104.tif 000009
【図８】
0003109104.tif 000010